(57)【要約】【課題】除霜運転終了の際、室内への冷風送出を抑制する。【解決手段】ヒートポンプシステムが、圧縮機、室内熱交換器、室外熱交換器、室内熱交換器で熱交換した空気を送風する送風ファン、空気を室内に導く空気供給路と室外に導く排気路とを有するダクト、及び、空気の経路を空気供給路と排気路とのいずれかに切り替えるダンパを備えるヒートポンプシステム本体と、ヒートポンプシステム本体を、加熱運転と除霜運転とのいずれかに切り替える運転切替制御部、及び、ダンパを制御して加熱運転時に空気を空気供給路に導かせ、除霜運転時に空気を排気路に導かせる風路切替制御部を備える制御装置と、を備え、風路切替制御部は、運転切替制御部がヒートポンプシステム本体を除霜運転から加熱運転に切り替えると、運転の切り替えから遅れてダンパが空気の経路を排気路から空気供給路に切り替えるようにダンパを制御する。【選択図】図３
2017040431.tif 000002
【特許請求の範囲】
【請求項１】
気体の冷媒を圧縮する圧縮機、前記圧縮機が圧縮した冷媒を液化させて凝縮熱を放熱する室内熱交換器、気化熱を吸熱して前記室内熱交換器からの液体の冷媒を気化させる室外熱交換器、前記室内熱交換器で熱交換した空気を送風する送風ファン、前記空気を室内に導く空気供給路と前記空気を室外に導く排気路とを有するダクト、及び、前記空気の経路を前記空気供給路と前記排気路とのいずれかに切り替えるダンパを備えるヒートポンプシステム本体と、
前記ヒートポンプシステム本体を、前記室内熱交換器が放熱して前記室外熱交換器が吸熱する加熱運転と、前記室内熱交換器が吸熱して前記室外熱交換器が放熱する除霜運転とのいずれかに切り替える運転切替制御部、及び、前記加熱運転時に前記ダンパが前記空気を前記空気供給路に導くように前記ダンパを制御するとともに、前記除霜運転時に前記ダンパが前記空気を前記排気路に導くように前記ダンパを制御する風路切替制御部を備える制御装置と、を備え、
前記風路切替制御部は、前記運転切替制御部が前記ヒートポンプシステム本体を前記除霜運転から前記加熱運転に切り替えると、運転の切り替えから遅れて前記ダンパが前記空気の経路を前記排気路から前記空気供給路に切り替えるように当該ダンパを制御するヒートポンプシステム。
【請求項２】
前記風路切替制御部は、前記運転切替制御部が前記ヒートポンプシステム本体を前記除霜運転から前記加熱運転に切り替えてから所定時間経過後に、前記前記ダンパが前記空気の経路を前記排気路から前記空気供給路に切り替えるように当該ダンパを制御する、請求項１に記載のヒートポンプシステム。
【請求項３】
前記ヒートポンプシステム本体は、前記室内熱交換器からの吹き出し空気温度を測定する吹き出し空気温度センサを備え、
前記風路切替制御部は、前記運転切替制御部が前記ヒートポンプシステム本体を前記除霜運転から前記加熱運転に切り替えた後、前記吹き出し空気温度が所定の温度になると、前記前記ダンパが前記空気の経路を前記排気路から前記空気供給路に切り替えるように当該ダンパを制御する、請求項１に記載のヒートポンプシステム。
【請求項４】
前記ヒートポンプシステム本体は、前記室外熱交換器の温度を測定する室外熱交換器温度センサを備え、
前記風路切替制御部は、前記運転切替制御部が前記ヒートポンプシステム本体を前記除霜運転から前記加熱運転に切り替えた後、前記室外熱交換器の温度が所定の温度になると、前記前記ダンパが前記空気の経路を前記排気路から前記空気供給路に切り替えるように当該ダンパを制御する、請求項１に記載のヒートポンプシステム。
【請求項５】
前記ヒートポンプシステム本体は、前記圧縮機が圧縮した冷媒の圧力を測定する圧力センサを備え、
前記風路切替制御部は、前記運転切替制御部が前記ヒートポンプシステム本体を前記除霜運転から前記加熱運転に切り替えた後、前記圧縮機が圧縮した冷媒の圧力が所定の圧力よりも高くなると、前記前記ダンパが前記空気の経路を前記排気路から前記空気供給路に切り替えるように当該ダンパを制御する、請求項１に記載のヒートポンプシステム。
【請求項６】
前記送風ファンは、前記運転切替制御部が前記ヒートポンプシステム本体を前記除霜運転から前記加熱運転に切り替えると、当該送風ファンの回転数を上昇させていき、
前記風路切替制御部は、前記送風ファンの回転数が所定の回転数よりも大きくなると、前記前記ダンパが前記空気の経路を前記排気路から前記空気供給路に切り替えるように当該ダンパを制御する、請求項１に記載のヒートポンプシステム。
【請求項７】
気体の冷媒を圧縮する圧縮機、前記圧縮機が圧縮した冷媒を液化させて凝縮熱を放熱する室内熱交換器、気化熱を吸熱して前記室内熱交換器からの液体の冷媒を気化させる室外熱交換器、前記室内熱交換器で熱交換した空気を送風する送風ファン、前記空気を室内に導く空気供給路と前記空気を室外に導く排気路とを有するダクト、及び、前記空気の経路を前記空気供給路と前記排気路とのいずれかに切り替えるダンパを備えるヒートポンプシステム本体を制御する制御装置であって、
前記ヒートポンプシステム本体を、前記室内熱交換器が放熱して前記室外熱交換器が吸熱する加熱運転と、前記室内熱交換器が吸熱して前記室外熱交換器が放熱する除霜運転とのいずれかに切り替える運転切替制御部と、
前記加熱運転時に前記ダンパが前記空気を前記空気供給路に導くように前記ダンパを制御するとともに、前記除霜運転時に前記ダンパが前記空気を前記排気路に導くように前記ダンパを制御する風路切替制御部とを備え、
前記風路切替制御部は、前記運転切替制御部が前記ヒートポンプシステム本体を前記除霜運転から前記加熱運転に切り替えると、運転の切り替えから遅れて前記ダンパが前記空気の経路を前記排気路から前記空気供給路に切り替えるように当該ダンパを制御する制御装置。
【請求項８】
制御装置が、気体の冷媒を圧縮する圧縮機、前記圧縮機が圧縮した冷媒を液化させて凝縮熱を放熱する室内熱交換器、気化熱を吸熱して前記室内熱交換器からの液体の冷媒を気化させる室外熱交換器、前記室内熱交換器で熱交換した空気を送風する送風ファン、前記空気を室内に導く空気供給路と前記空気を室外に導く排気路とを有するダクト、及び、前記空気の経路を前記空気供給路と前記排気路とのいずれかに切り替えるダンパを備えるヒートポンプシステム本体を制御する制御方法であって、
前記ヒートポンプシステム本体を、前記室内熱交換器が放熱して前記室外熱交換器が吸熱する加熱運転と、前記室内熱交換器が吸熱して前記室外熱交換器が放熱する除霜運転とのいずれかに切り替える運転切替制御ステップと、
前記加熱運転時に前記ダンパが前記空気を前記空気供給路に導くように前記ダンパを制御するとともに、前記除霜運転時に前記ダンパが前記空気を前記排気路に導くように前記ダンパを制御する風路切替制御ステップとを含み、
前記風路切替制御ステップでは、前記運転切替制御ステップでの前記除霜運転から前記加熱運転への切替から遅れて、前記ダンパが前記空気の経路を前記排気路から前記空気供給路に切り替えるように当該ダンパを制御する制御方法。
【請求項９】
気体の冷媒を圧縮する圧縮機、前記圧縮機が圧縮した冷媒を液化させて凝縮熱を放熱する室内熱交換器、気化熱を吸熱して前記室内熱交換器からの液体の冷媒を気化させる室外熱交換器、前記室内熱交換器で熱交換した空気を送風する送風ファン、前記空気を室内に導く空気供給路と前記空気を室外に導く排気路とを有するダクト、及び、前記空気の経路を前記空気供給路と前記排気路とのいずれかに切り替えるダンパを備えるヒートポンプシステム本体を制御するコンピュータに、
前記ヒートポンプシステム本体を、前記室内熱交換器が放熱して前記室外熱交換器が吸熱する加熱運転と、前記室内熱交換器が吸熱して前記室外熱交換器が放熱する除霜運転とのいずれかに切り替える運転切替制御ステップと、
前記加熱運転時に前記ダンパが前記空気を前記空気供給路に導くように前記ダンパを制御するとともに、前記除霜運転時に前記ダンパが前記空気を前記排気路に導くように前記ダンパを制御する風路切替制御ステップとを実行させ、
前記風路切替制御ステップでは、前記運転切替制御ステップでの前記除霜運転から前記加熱運転への切替から遅れて、前記ダンパが前記空気の経路を前記排気路から前記空気供給路に切り替えるように当該ダンパを制御させるためのプログラム。
【発明の詳細な説明】
【技術分野】
【０００１】
本発明は、ヒートポンプシステム、制御装置、制御方法及びプログラムに関する。
【背景技術】
【０００２】
乾燥用ヒートポンプなど空気熱源ヒートポンプの加熱運転中に外気温度が低下すると室外熱交換器に着霜し、付着した霜を溶かすためにヒートポンプが除霜運転（デフロスト運転）を行う場合がある。除霜運転では、ヒートポンプが冷房サイクルにて運転を行うため、室内熱交換器で空気が冷却される。冷却された空気が乾燥用空気の風路を通って乾燥機内に流入することで、乾燥機内の温度及び風路の温度が低下し、乾燥温度が乱れる原因になる。
【０００３】
これに対し、特許文献１には、ヒートポンプ式空気調和機の除霜運転に関する技術が記載されている。特許文献１に記載の空気調和機の制御装置は、暖房運転時のデフロスト時には吹出し空気量調整用ダンパを閉じ排気用ダンパを開放する。一方、当該制御装置は、常時は排気用ダンパを閉じる。
特許文献１では、これにより、暖房運転時におけるデフロスト時に、冷風により空調室の居住者に不快感を与ることを防止するとされている。
【先行技術文献】
【特許文献】
【０００４】
【特許文献１】実開昭６２−１６７０２６号公報
【発明の概要】
【発明が解決しようとする課題】
【０００５】
ヒートポンプが除霜運転を終了して乾燥運転又は暖房運転に切り替わった際、除霜運転によって室内熱交換器の温度が低下しているため室内（乾燥室内又は空調室内）に冷風が送出される可能性がある。乾燥用ヒートポンプの場合、冷風の送出によって乾燥機内の温度及び風路の温度が低下し、乾燥温度が乱れる原因になる。また、ヒートポンプ式空気調和機の場合、冷風の送出によって空調室の居住者に不快感を与えてしまう。
【０００６】
本発明は、ヒートポンプが除霜運転を終了した際の室内への冷風の送出を抑制することができるヒートポンプシステム、制御装置、制御方法及びプログラムを提供する。
【課題を解決するための手段】
【０００７】
本発明の第１の態様によれば、ヒートポンプシステムは、気体の冷媒を圧縮する圧縮機、前記圧縮機が圧縮した冷媒を液化させて凝縮熱を放熱する室内熱交換器、気化熱を吸熱して前記室内熱交換器からの液体の冷媒を気化させる室外熱交換器、前記室内熱交換器で熱交換した空気を送風する送風ファン、前記空気を室内に導く空気供給路と前記空気を室外に導く排気路とを有するダクト、及び、前記空気の経路を前記空気供給路と前記排気路とのいずれかに切り替えるダンパを備えるヒートポンプシステム本体と、前記ヒートポンプシステム本体を、前記室内熱交換器が放熱して前記室外熱交換器が吸熱する加熱運転と、前記室内熱交換器が吸熱して前記室外熱交換器が放熱する除霜運転とのいずれかに切り替える運転切替制御部、及び、前記加熱運転時に前記ダンパが前記空気を前記空気供給路に導くように前記ダンパを制御するとともに、前記除霜運転時に前記ダンパが前記空気を前記排気路に導くように前記ダンパを制御する風路切替制御部を備える制御装置とを備え、前記風路切替制御部は、前記運転切替制御部が前記ヒートポンプシステム本体を前記除霜運転から前記加熱運転に切り替えると、運転の切り替えから遅れて前記ダンパが前記空気の経路を前記排気路から前記空気供給路に切り替えるように当該ダンパを制御する。
【０００８】
前記風路切替制御部は、前記運転切替制御部が前記ヒートポンプシステム本体を前記除霜運転から前記加熱運転に切り替えてから所定時間経過後に、前記前記ダンパが前記空気の経路を前記排気路から前記空気供給路に切り替えるように当該ダンパを制御する、ようにしてもよい。
【０００９】
前記ヒートポンプシステム本体は、前記室内熱交換器からの吹き出し空気温度を測定する吹き出し空気温度センサを備え、前記風路切替制御部は、前記運転切替制御部が前記ヒートポンプシステム本体を前記除霜運転から前記加熱運転に切り替えた後、前記吹き出し空気温度が所定の温度になると、前記前記ダンパが前記空気の経路を前記排気路から前記空気供給路に切り替えるように当該ダンパを制御する、ようにしてもよい。
【００１０】
前記ヒートポンプシステム本体は、前記室外熱交換器の温度を測定する室外熱交換器温度センサを備え、前記風路切替制御部は、前記運転切替制御部が前記ヒートポンプシステム本体を前記除霜運転から前記加熱運転に切り替えた後、前記室外熱交換器の温度が所定の温度になると、前記前記ダンパが前記空気の経路を前記排気路から前記空気供給路に切り替えるように当該ダンパを制御する、ようにしてもよい。
【００１１】
前記ヒートポンプシステム本体は、前記圧縮機が圧縮した冷媒の圧力を測定する圧力センサを備え、前記風路切替制御部は、前記運転切替制御部が前記ヒートポンプシステム本体を前記除霜運転から前記加熱運転に切り替えた後、前記圧縮機が圧縮した冷媒の圧力が所定の圧力よりも高くなると、前記前記ダンパが前記空気の経路を前記排気路から前記空気供給路に切り替えるように当該ダンパを制御する、ようにしてもよい。
【００１２】
前記送風ファンは、前記運転切替制御部が前記ヒートポンプシステム本体を前記除霜運転から前記加熱運転に切り替えると、当該送風ファンの回転数を上昇させていき、前記風路切替制御部は、前記送風ファンの回転数が所定の回転数よりも大きくなると、前記前記ダンパが前記空気の経路を前記排気路から前記空気供給路に切り替えるように当該ダンパを制御する、ようにしてもよい。
【００１３】
本発明の第２の態様によれば、制御装置は、気体の冷媒を圧縮する圧縮機、前記圧縮機が圧縮した冷媒を液化させて凝縮熱を放熱する室内熱交換器、気化熱を吸熱して前記室内熱交換器からの液体の冷媒を気化させる室外熱交換器、前記室内熱交換器で熱交換した空気を送風する送風ファン、前記空気を室内に導く空気供給路と前記空気を室外に導く排気路とを有するダクト、及び、前記空気の経路を前記空気供給路と前記排気路とのいずれかに切り替えるダンパを備えるヒートポンプシステム本体を制御する制御装置であって、前記ヒートポンプシステム本体を、前記室内熱交換器が放熱して前記室外熱交換器が吸熱する加熱運転と、前記室内熱交換器が吸熱して前記室外熱交換器が放熱する除霜運転とのいずれかに切り替える運転切替制御部と、前記加熱運転時に前記ダンパが前記空気を前記空気供給路に導くように前記ダンパを制御するとともに、前記除霜運転時に前記ダンパが前記空気を前記排気路に導くように前記ダンパを制御する風路切替制御部とを備え、前記風路切替制御部は、前記運転切替制御部が前記ヒートポンプシステム本体を前記除霜運転から前記加熱運転に切り替えると、運転の切り替えから遅れて前記ダンパが前記空気の経路を前記排気路から前記空気供給路に切り替えるように当該ダンパを制御する。
【００１４】
本発明の第３の態様によれば、制御方法は、制御装置が、気体の冷媒を圧縮する圧縮機、前記圧縮機が圧縮した冷媒を液化させて凝縮熱を放熱する室内熱交換器、気化熱を吸熱して前記室内熱交換器からの液体の冷媒を気化させる室外熱交換器、前記室内熱交換器で熱交換した空気を送風する送風ファン、前記空気を室内に導く空気供給路と前記空気を室外に導く排気路とを有するダクト、及び、前記空気の経路を前記空気供給路と前記排気路とのいずれかに切り替えるダンパを備えるヒートポンプシステム本体を制御する制御方法であって、前記ヒートポンプシステム本体を、前記室内熱交換器が放熱して前記室外熱交換器が吸熱する加熱運転と、前記室内熱交換器が吸熱して前記室外熱交換器が放熱する除霜運転とのいずれかに切り替える運転切替制御ステップと、前記加熱運転時に前記ダンパが前記空気を前記空気供給路に導くように前記ダンパを制御するとともに、前記除霜運転時に前記ダンパが前記空気を前記排気路に導くように前記ダンパを制御する風路切替制御ステップとを含み、前記風路切替制御ステップでは、前記運転切替制御ステップでの前記除霜運転から前記加熱運転への切替から遅れて、前記ダンパが前記空気の経路を前記排気路から前記空気供給路に切り替えるように当該ダンパを制御する。
【００１５】
本発明の第４の態様によれば、プログラムは、気体の冷媒を圧縮する圧縮機、前記圧縮機が圧縮した冷媒を液化させて凝縮熱を放熱する室内熱交換器、気化熱を吸熱して前記室内熱交換器からの液体の冷媒を気化させる室外熱交換器、前記室内熱交換器で熱交換した空気を送風する送風ファン、前記空気を室内に導く空気供給路と前記空気を室外に導く排気路とを有するダクト、及び、前記空気の経路を前記空気供給路と前記排気路とのいずれかに切り替えるダンパを備えるヒートポンプシステム本体を制御するコンピュータに、前記ヒートポンプシステム本体を、前記室内熱交換器が放熱して前記室外熱交換器が吸熱する加熱運転と、前記室内熱交換器が吸熱して前記室外熱交換器が放熱する除霜運転とのいずれかに切り替える運転切替制御ステップと、前記加熱運転時に前記ダンパが前記空気を前記空気供給路に導くように前記ダンパを制御するとともに、前記除霜運転時に前記ダンパが前記空気を前記排気路に導くように前記ダンパを制御する風路切替制御ステップとを実行させ、前記風路切替制御ステップでは、前記運転切替制御ステップでの前記除霜運転から前記加熱運転への切替から遅れて、前記ダンパが前記空気の経路を前記排気路から前記空気供給路に切り替えるように当該ダンパを制御させるためのプログラムである。
【発明の効果】
【００１６】
上記したヒートポンプシステム、制御装置、制御方法及びプログラムによれば、ヒートポンプが除霜運転を終了した際の室内への冷風の送出を抑制することができる。
【図面の簡単な説明】
【００１７】
【図１】本発明の一実施形態におけるヒートポンプシステムの装置構成を示す概略構成図である。
【図２】同実施形態における送風ファンが送風を行う風路の例を示す説明図である。
【図３】同実施形態における制御装置の機能構成を示す概略ブロック図である。
【図４】同実施形態における制御装置が行う処理の手順の例を示すフローチャートである。
【発明を実施するための形態】
【００１８】
以下、本発明の実施形態を説明するが、以下の実施形態は特許請求の範囲にかかる発明を限定するものではない。また、実施形態の中で説明されている特徴の組み合わせの全てが発明の解決手段に必須であるとは限らない。
図１は、本発明の一実施形態におけるヒートポンプシステムの装置構成を示す概略構成図である。同図に示すように、ヒートポンプシステム１は、圧縮機１１と、四方弁１２と、室内熱交換器１３と、送風ファン１４と、絞り１５と、室外熱交換器１６と、圧力センサ２１と、室内熱交換器温度センサ２２と、室外熱交換器温度センサ２３と、第１配管Ｗ１１〜第６配管Ｗ１６と、制御装置３００とを備える。圧縮機１１と四方弁１２とは、第１配管Ｗ１１及び第５配管Ｗ１５で接続されている。第１配管Ｗ１１は圧縮機１１の冷媒出口に接続されており、第６配管Ｗ１６は圧縮機１１の冷媒入口に接続されている。また、四方弁１２と室内熱交換器１３とは、第２配管Ｗ１２で接続されている。室内熱交換器１３と絞り１５とは、第３配管Ｗ１３で接続されている。絞り１５と室外熱交換器１６とは、第４配管Ｗ１４で接続されている。室外熱交換器１６と四方弁１２とは、第５配管Ｗ１５で接続されている。
また、ヒートポンプシステム１は、図２を参照して後述する熱交換機側ダクト３１と、乾燥機側ダクト３２と、室外側ダクト３３と、ダンパ３４とをさらに備える。
【００１９】
なお、ヒートポンプシステム１のうち、制御装置３００以外の各部を総称してヒートポンプシステム本体１０と称する。制御装置３００は、ヒートポンプシステム本体１０を制御する。
なお、以下ではヒートポンプシステム１がヒートポンプ式乾燥システムである場合を例に説明するが、ヒートポンプシステム１の用途は乾燥用に限らない。例えば、ヒートポンプシステム１が、ヒートポンプ式空気調和システムであってもよい。この場合、ヒートポンプシステム１は、乾燥室に代えて空気調和対象の部屋に空気を供給する。
【００２０】
ヒートポンプシステム１は、乾燥室に乾燥用空気を供給するシステムである。ヒートポンプシステム１は、加熱運転（乾燥運転）と除霜運転とを切り替えて運転する。
加熱運転では、圧縮機１１で圧縮された気体の冷媒が、第１配管Ｗ１１、四方弁１２、第２配管Ｗ１２の順に経由して室内熱交換器１３へ流入する。室内熱交換器１３へ流入した気体の冷媒は、空気との熱交換によって放熱して凝縮する。放熱によって室内熱交換器１３の周囲の空気が高温（例えば８０度（℃））になり、送風ファン１４は、この高温の空気を乾燥用空気として乾燥室へ送風する。
凝縮によって液体になった冷媒は、第３配管Ｗ１３を経由して絞り１５で減圧された後、さらに第４配管Ｗ１４を経由して室外熱交換器１６へ流入する。室外熱交換器１６へ流入した冷媒は、室外熱交換器１６の周囲の外気との熱交換によって吸熱して蒸発する。蒸発によって気体になった冷媒は、第５配管Ｗ１５、四方弁１２、第６配管Ｗ１６の順に経由して圧縮機１１へ流入し圧縮される。
【００２１】
一方、除霜運転では、圧縮機１１で圧縮された気体の冷媒が、第１配管Ｗ１１、四方弁１２、第５配管Ｗ１５の順に経由して室外熱交換器１６へ流入する。室外熱交換器１６へ流入した気体の冷媒は、室外熱交換器１６の周囲の外気との熱交換によって放熱して凝縮する。この放熱によって室外熱交換器１６が加熱され、室外熱交換器１６に付着している霜が溶ける。
凝縮によって液体になった冷媒は、第４配管Ｗ１４を経由して絞り１５で減圧された後、さらに第３配管Ｗ１３を経由して室内熱交換器１３へ流入する。室内熱交換器１３へ流入した冷媒は、室内熱交換器１３の周囲の空気との熱交換によって吸熱して蒸発する。蒸発によって気体になった冷媒は、第２配管Ｗ１２、四方弁１２、第６配管Ｗ１６の順に経由して圧縮機１１へ流入し圧縮される。
【００２２】
圧縮機１１は、気体の冷媒を圧縮する。
四方弁１２は、冷媒の流路を切り替えることで加熱運転と除霜運転との切替を行う。加熱運転では、第１配管Ｗ１１と第２配管Ｗ１２とを接続することで圧縮機１１からの冷媒を室内熱交換器１３へ流入させ、また、第５配管Ｗ１５と第６配管Ｗ１６とを接続することで室外熱交換器１６からの冷媒を圧縮機１１へ流入させる。一方、除霜運転では、第１配管Ｗ１１と第５配管Ｗ１５とを接続することで圧縮機１１からの冷媒を室外熱交換器１６へ流入させ、また、第２配管Ｗ１２と第６配管Ｗ１６とを接続することで室内熱交換器１３からの冷媒を圧縮機１１へ流入させる。
【００２３】
室内熱交換器１３は、冷媒と室内熱交換器１３の周囲の空気との間で熱交換を行わせる。加熱運転では、高圧の気体の冷媒が室内熱交換器１３へ流入し、室内の空気との熱交換によって放熱して凝縮する。従って、室内熱交換器１３は、圧縮機１１によって圧縮された気体の冷媒を液化させて凝縮熱を室内熱交換器１３の周囲の空気に放熱する。一方、除霜運転では、低圧の液体の冷媒が室内熱交換器１３へ流入し、室内の空気との熱交換によって吸熱して蒸発する。
送風ファン１４は、室内熱交換器１３で熱交換した空気（室内熱交換器１３の周囲の空気）を送風する。
【００２４】
図２は、送風ファン１４が送風を行う風路の例を示す説明図である。同図に示すように、送風ファン１４が送風を行う風路は、熱交換機側ダクト３１と、乾燥機側ダクト３２と、室外側ダクト３３とを三又に組み合わせたダクトシステム３０によって形成されている。ダクトシステム３０は、本実施形態におけるダクトの例に該当する。
熱交換機側ダクト３１には室内熱交換器１３と送風ファン１４とが設けられている。送風ファン１４は、室内熱交換器１３から見て乾燥機側ダクト３２及び室外側ダクト３３と反対側に設けられており、送風ファン１４は、室内熱交換器１３の周囲の空気を乾燥機側ダクト３２及び室外側ダクト３３の側へ送風する。
【００２５】
熱交換機側ダクト３１と、乾燥機側ダクト３２と、室外側ダクト３３との三又の部分には風路を切り替えるダンパ３４が設けられている。ダンパ３４は、制御装置３００の制御に従って風路を切り替える。
ヒートポンプシステム本体１０が加熱運転をしているときは、ダンパ３４は、熱交換機側ダクト３１から室外側ダクト３３への経路（風路）を閉じる。この状態では、熱交換機側ダクト３１から乾燥機側ダクト３２を通る風路が形成されている。乾燥機側ダクト３２は乾燥室に通じており、室内熱交換器１３で高温になった乾燥用空気は乾燥室へ送風される。送風ファン１４及び室内熱交換器１３は、乾燥室の付近（例えば、乾燥室の隣室）に設けられており、室内熱交換器１３で高温になった乾燥用空気は高温のまま乾燥室へ送風される。熱交換機側ダクト３１から乾燥機側ダクト３２を通る風路は、空気供給路の例に該当する。この熱交換機側ダクト３１から乾燥機側ダクト３２を通る風路は、室内熱交換器１３で熱交換した空気を乾燥室内に導く。
【００２６】
一方、ヒートポンプシステム本体１０が除霜運転をしているときは、ダンパ３４は、熱交換機側ダクト３１から乾燥機側ダクト３２への経路を閉じる。この状態では、熱交換機側ダクト３１から室外側ダクト３３を通る風路が形成されている。室外側ダクト３３は屋外（大気側）に通じており、室内熱交換器１３で低温になった空気は屋外へ送風される。これにより、除霜運転時に冷風が乾燥室に流入することを防止できる。なお、室外側ダクト３３の接続先は屋外に限らず、乾燥室外であればよい。例えば、室外側ダクト３３が乾燥室以外の部屋に接続されていてもよい。
【００２７】
また、除霜運転時も送風ファン１４が送風を継続することで、室内熱交換器１３の周囲の空気を入れ替えることができる。これにより、室内熱交換器１３は除霜運転中に送風ファン１４によって供給された空気から熱を吸熱することができ、送風ファン１４を停止させる場合よりもを多くの熱を室外熱交換器１６に供給することが可能となる為、送風ファン１４を停止させる場合よりも早く除霜運転を終了することが可能となる。また、室内熱交換器１３及び室内熱交換器１３の周囲の空気の温度低下を比較的小さくすることができ、ヒートポンプシステム本体１０が除霜運転から加熱運転に切り替わった後、比較的短時間で高温の空気を送風できるようになる。
熱交換機側ダクト３１から室外側ダクト３３を通る風路は、排気路の例に該当する。この熱交換機側ダクト３１から室外側ダクト３３を通る風路は、室内熱交換器１３で熱交換した空気を乾燥室外（例えば屋外）に導く。
【００２８】
ここで、ヒートポンプシステム本体１０が除霜運転から加熱運転に切り替わると、ダンパ３４は制御装置３００の制御に従って、運転の切替から遅れて風路の切替を行う。具体的には、ダンパ３４は、室内熱交換器１３の温度が所定の温度まで上昇した後、熱交換機側ダクト３１から室外側ダクト３３への風路から、熱交換機側ダクト３１から乾燥機側ダクト３２への風路への切り替えを行う。
このように、ヒートポンプシステム本体１０が除霜運転から加熱運転に切り替わる際、ダンパ３４が、運転の切替から遅れて風路の切替を行うことで、冷風の乾燥室への流入を防止することができる。
【００２９】
絞り１５は、絞り１５自らを流れる液体の冷媒を減圧する。この減圧により冷媒が蒸発し易くなる。
室外熱交換器１６は、冷媒と室外熱交換器１６の周囲の外気との間で熱交換を行わせる。加熱運転では、絞り１５で減圧された低圧の液体の冷媒が室外熱交換器１６へ流入し、外気との熱交換によって吸熱して蒸発する。従って、室外熱交換器１６は、外気から気化熱を吸熱して液体の冷媒を気化させる。一方、除霜運転では、圧縮機１１で圧縮された高圧の気体の冷媒が室外熱交換器１６へ流入し、外気との熱交換によって放熱して凝縮する。
【００３０】
圧力センサ２１は、第１配管Ｗ１１に設けられて圧縮機１１の出口圧力（圧縮機１１の出口における冷媒の圧力）を測定する。圧力センサ２１が測定する圧力は、圧縮機１１の故障などの異常検出に用いられる。また、後述するように、制御装置３００が、圧力センサ２１による圧力測定値を用いて風路の切替タイミングを判定するようにしてもよい。
室内熱交換器温度センサ２２は、室内熱交換器１３に設置されて室内熱交換器１３の温度を測定する。室内熱交換器温度センサ２２は、例えば室内熱交換器１３内の冷媒配管に設置される。あるいは、室内熱交換器温度センサ２２が室内熱交換器１３の筐体に設置されるなど、冷媒配管以外の箇所に設置されていてもよい。
室内熱交換器温度センサ２２が測定する室内熱交換器１３の温度に基づいて、制御装置３００は、乾燥室へ送風するか否か決定する。具体的には、運転切替制御部３９１がヒートポンプシステム本体１０を除霜運転から加熱運転に切り替えた後、制御装置３００は、室内熱交換器１３の温度が後述するダンパ切替室内熱交温度より高くなったと判定した場合、風路を切り替えて室内熱交換器１３からの風を乾燥室へ供給するようダンパ３４を制御する。
室内熱交換器温度センサ２２として、例えばサーミスタ式の温度センサを用いることができる。あるいは、室内熱交換器温度センサ２２は、測温抵抗体式の温度センサなど、サーミスタ以外の方式の温度センサであってもよい。
【００３１】
室外熱交換器温度センサ２３は、室外熱交換器１６に設置されて室外熱交換器１６の温度を測定する。室外熱交換器温度センサ２３は、例えば室外熱交換器１６内の冷媒配管に設置される。あるいは、室外熱交換器温度センサ２３が室外熱交換器１６の筐体に設置されるなど、冷媒配管以外の箇所に設置されていてもよい。
室外熱交換器温度センサ２３が測定する室外熱交換器１６の温度に基づいて、制御装置３００は、ヒートポンプシステム本体１０の運転を切り替える。具体的には、室外熱交換器１６の温度が後述する除霜開始温度以下であると判定した場合、制御装置３００は、ヒートポンプシステム本体１０を除霜運転にする。また、室外熱交換器１６の温度が後述する除霜終了温度より高いと判定した場合、制御装置３００は、ヒートポンプシステム本体１０を加熱運転にする。
室外熱交換器温度センサ２３として、例えばサーミスタ式の温度センサを用いることができる。あるいは、室外熱交換器温度センサ２３は、測温抵抗体式の温度センサなど、サーミスタ以外の方式の温度センサであってもよい。
【００３２】
制御装置３００は、ヒートポンプシステム本体１０を制御する。制御装置３００は例えばコンピュータを用いて構成される。
図３は、制御装置３００の機能構成を示す概略ブロック図である。同図に示すように、制御装置３００は、通信部３１０と、記憶部３８０と、制御部３９０とを備える。制御部３９０は、運転切替制御部３９１と、風路切替制御部３９２とを備える。
通信部３１０は、他の装置と通信を行う。特に、通信部３１０は、ヒートポンプシステム本体１０に設けられた各種センサからセンサ測定値を示すセンサ信号を受信する。また、通信部３１０は、ヒートポンプシステム本体１０の各部に制御信号を送信する。なお、通信部３１０が、センサ測定値の受信と制御信号の送信とを同一の通信方式で行うようにしてもよいし、別々の通信方式で行うようにしてもよい。
記憶部３８０は、制御装置３００が備える記憶デバイスを用いて構成され、各種データを記憶する。
【００３３】
制御部３９０は、ヒートポンプシステム本体１０の各部を制御する。制御部３９０は、例えば制御装置３００を備えるコンピュータが記憶部３８０からプログラムを読み出して実行することで実現される。
運転切替制御部３９１は、加熱運転と除霜運転との切替を行う。具体的には、加熱運転時に室外熱交換器１６の温度が所定の温度以下になった場合、運転切替制御部３９１は、四方弁１２の接続を切り替えることで、ヒートポンプシステム本体１０を加熱運転から除霜運転に切り替える。また、除霜運転時に室外熱交換器１６の温度が所定の温度以上になった場合、運転切替制御部３９１は、ヒートポンプシステム本体１０を除霜運転から加熱運転に切り替える。
【００３４】
風路切替制御部３９２は、ダンパ３４を制御して風路の切替を行う。具体的には、運転切替制御部３９１がヒートポンプシステム本体１０を加熱運転から除霜運転に切り替える際、風路切替制御部３９２は、ダンパ３４を制御して熱交換機側ダクト３１から乾燥機側ダクト３２への経路を閉じさせる。
一方、運転切替制御部３９１がヒートポンプシステム本体１０を除霜運転から加熱運転に切り替える場合、風路切替制御部３９２は、運転の切替から遅れをもってダンパ３４を制御して熱交換機側ダクト３１から室外側ダクト３３への経路を閉じさせる。具体的には、ダンパ３４は、室内熱交換器１３の温度が所定の温度まで上昇した後、熱交換機側ダクト３１から室外側ダクト３３への風路から、熱交換機側ダクト３１から乾燥機側ダクト３２への風路への切り替えを行う。
【００３５】
次に、図４を参照して制御装置３００の動作について説明する。
図４は、制御装置３００が行う処理の手順の例を示すフローチャートである。
同図の処理にて、通信部３１０は、センサ信号を受信する（ステップＳ１１１）。特に、通信部３１０は、室外熱交換器温度センサ２３から室外熱交換器１６の温度測定値を示すセンサ信号を取得する。
次に、運転切替制御部３９１は、ステップＳ１１１で得られた室外熱交換器１６の温度が除霜開始温度以下か否かを判定する（ステップＳ１１２）。ここで、除霜開始温度とは、除霜運転の要否の判定閾値として設定される温度（室外熱交換器１６の温度）である。除霜開始温度は定数であってもよい。あるいは、運転切替制御部３９１が、外気温度など所定のセンサ測定値に基づいて除霜開始温度を算出するようにしてもよい。
【００３６】
室外熱交換器１６の温度が除霜開始温度より高いと判定した場合（ステップＳ１１２：ＮＯ）、ステップＳ１１１へ戻る。
一方、室外熱交換器１６の温度が除霜開始温度以下であると判定した場合（ステップＳ１１２：ＹＥＳ）、運転切替制御部３９１はヒートポンプシステム本体１０を除霜運転にし、風路切替制御部３９２はダンパ３４を制御して熱交換機側ダクト３１から乾燥機側ダクト３２への風路を閉じさせる（ステップＳ１２１）。具体的には、運転切替制御部３９１は、四方弁１２を制御して、圧縮機１１からの冷媒を室外熱交換器１６へ流入させ、室内熱交換器１３からの冷媒を圧縮機１１へ流入させる。また、風路切替制御部３９２が、ダンパ３４を制御して熱交換機側ダクト３１から乾燥機側ダクト３２への風路を閉じさせることで、室内熱交換器１３で低温になった空気は室外側ダクト３３を経由して屋外へ放出される。
【００３７】
ステップＳ１２１での運転の切替と風路の切替とは、ほぼ同時に行われる。例えば、運転切替制御部３９１は、四方弁１２への制御信号を通信部３１０へ出力して四方弁１２へ送信させるのと並行して、運転を切り替えることを風路切替制御部３９２へ通知する。風路切替制御部３９２は、運転切替制御部３９１からの通知を受けると直ちにダンパ３４への制御信号を通信部３１０へ出力してダンパ３４へ送信させる。あるいは、運転切替制御部３９１と風路切替制御部３９２とが１つの機能部として構成されており、四方弁１２とダンパ３４とに共通の制御信号を通信部３１０へ出力し、通信部３１０が、当該制御信号を四方弁１２とダンパ３４とに送信するようにしてもよい。
【００３８】
次に、通信部３１０がセンサ信号を受信する（ステップＳ１２２）。特に、通信部３１０は、室外熱交換器温度センサ２３から室外熱交換器１６の温度測定値を示すセンサ信号を受信する。
次に、運転切替制御部３９１は、ステップＳ１２２で得られた室外熱交換器１６の温度が除霜終了温度より高いか否かを判定する（ステップＳ１２３）。ここで、除霜終了温度とは、除霜運転終了の可否の判定閾値として設定される温度（室外熱交換器１６の温度）である。除霜終了温度は、除霜開始温度と同じ温度であってもよい。あるいは、除霜終了温度を除霜開始温度よりも高く設定することで、ヒートポンプシステム本体１０の運転切替の頻発を抑制することができる。
また、除霜終了温度は定数（例えば６度（℃））であってもよい。あるいは、運転切替制御部３９１が、外気温度など所定のセンサ測定値に基づいて除霜終了温度を算出するようにしてもよい。
【００３９】
室外熱交換器１６の温度が除霜終了温度以下であると判定した場合（ステップＳ１２３：ＮＯ）、ステップＳ１２２へ戻る。
一方、室外熱交換器１６の温度が除霜終了温度よりも高いと判定した場合（ステップＳ１２３：ＹＥＳ）、運転切替制御部３９１はヒートポンプシステム本体１０を加熱運転にする（ステップＳ１３１）。
次に、通信部３１０がセンサ信号を受信する（ステップＳ１３２）。特に、通信部３１０は、室内熱交換器温度センサ２２から室内熱交換器１３の温度測定値を示すセンサ信号を受信する。
次に、運転切替制御部３９１は、ステップＳ１３２で得られた室内熱交換器１３の温度がダンパ切替室内熱交温度より高いか否かを判定する（ステップＳ１３３）。ここで、ダンパ切替室内熱交温度とは、除霜運転終了後に風路を切り替えるタイミングの判定閾値として設定される室内熱交換器１３の温度である。ダンパ切替温度は、定数（例えば８０度（℃））であってもよい。あるいは、運転切替制御部３９１が、乾燥室内の空気温度（室温）など所定のセンサ測定値に基づいてダンパ切替温度を算出するようにしてもよい。
【００４０】
室内熱交換器１３の温度がダンパ切替室内熱交温度以下であると判定した場合（ステップＳ１３３：ＮＯ）、ステップＳ１３２へ戻る。
一方、室内熱交換器１３の温度がダンパ切替室内熱交温度よりも高いと判定した場合（ステップＳ１３３：ＹＥＳ）、風路切替制御部３９２はダンパ３４を制御して熱交換機側ダクト３１から室外側ダクト３３への風路を閉じさせる（ステップＳ１３４）。風路切替制御部３９２が、ダンパ３４を制御して熱交換機側ダクト３１から室外側ダクト３３への風路を閉じさせることで、室内熱交換器１３で高温になった空気は乾燥機側ダクト３２を経由して乾燥室へ送出される。
このように、風路切替制御部３９２が、室内熱交換器１３の温度がダンパ切替温度よりも高いと判定した後に、ダンパ３４を制御して熱交換機側ダクト３１から室外側ダクト３３への風路を閉じさせることで、室内熱交換器１３が温まる前の低温の空気が乾燥室へ流入するのを抑制することができる。
さらに、ダンパ３４が熱交換機側ダクト３１から乾燥機側ダクト３２への風路を閉じている状態で送風ファン１４が回転して室内熱交換器１３の周囲の空気を屋外へ放出するので、ダンパ３４が熱交換機側ダクト３１から室外側ダクト３３への風路を閉じるときに室内熱交換器１３の周囲に低温の空気が残存する可能性を低減させることができる。これにより、室内熱交換器１３が温まる前の低温の空気が乾燥室へ流入するのを抑制することができる。
ステップＳ１３４の後、ステップＳ１１１へ戻る。
【００４１】
以上のように、運転切替制御部３９１がヒートポンプシステム本体１０を除霜運転から加熱運転に切り替えると、風路切替制御部３９２は、運転の切り替えから遅れてダンパ３４が空気の経路（風路）を排気路（熱交換機側ダクト３１及び室外側ダクト３３）から空気供給路（熱交換機側ダクト３１及び乾燥機側ダクト３２）に切り替えるように当該ダンパ３４を制御する。
このように、ヒートポンプシステム本体１０の運転の切替から遅れてダンパ３４が風路を切り替えることで、ヒートポンプシステム本体１０が除霜運転を終了した際の室内への冷風の送出を抑制することができる。具体的には、室内熱交換器１３が温まる前の冷風の乾燥室への流入を防止することができる。
【００４２】
なお、風路切替制御部３９２がダンパ３４を制御して風路を排気路から空気供給路に切り替えさせるタイミングは、室内熱交換器１３の温度がダンパ切替温度より高くなったタイミングに限らない。
例えば、運転切替制御部３９１がヒートポンプシステム本体１０を除霜運転から加熱運転に切り替えてから所定のダンパ切替時間が経過した後に、風路切替制御部３９２がダンパ３４を制御して風路を切り替えさせるようにしてもよい。
【００４３】
ここで、ダンパ切替時間とは、除霜運転終了後に風路を切り替えるタイミングとして設定される時間である。風路切替制御部３９２が、運転切替からの経過時間に基づいて風路の切替タイミングを検出することで、ヒートポンプシステム本体１０が、室内熱交換器温度センサ２２を備える必要が無くなる。この点でヒートポンプシステム本体１０の構成を簡単にすることができる。
ダンパ切替時間は、定数であってもよい。あるいは、運転切替制御部３９１が、乾燥室内の空気温度など所定のセンサ測定値に基づいてダンパ切替時間を算出するようにしてもよい。ダンパ切替時間は、例えばヒートポンプシステム１の試運転または運転シミュレーションを行って設定することができる。
【００４４】
あるいは、運転切替制御部３９１がヒートポンプシステム本体１０を除霜運転から加熱運転に切り替えた後、室内熱交換器１３からの吹き出し空気温度が所定のダンパ切替吹き出し空気温度になった場合に、風路切替制御部３９２がダンパ３４を制御して風路を切り替えさせるようにしてもよい。具体的には、運転切替制御部３９１がヒートポンプシステム本体１０を除霜運転から加熱運転に切り替えた後、風路切替制御部３９２は、吹き出し空気温度センサが測定する室内熱交換器１３からの吹き出し空気温度がダンパ切替吹き出し空気温度以上になったか否かを判定する。そして、室内熱交換器１３からの吹き出し空気温度がダンパ切替吹き出し空気温度以上になったと判定した場合、風路切替制御部３９２は、ダンパ３４を制御して風路を排気路から空気供給路に切り替えさせる。
【００４５】
ここで、室内熱交換器１３からの吹き出し空気とは、室内熱交換器１３の周囲の空気が、送風ファン１４からの送風によって送風された空気である。すなわち、室内熱交換器１３からの吹き出し空気とは、送風ファン１４によって送風され、室内熱交換器１３の付近を通過した空気である。また、室内熱交換器１３からの吹き出し空気温度とは、室内熱交換器１３からの吹き出し空気の温度である。
吹き出し空気温度センサの設置位置は、除霜運転時の風路（送風ファン１４からの空気の流路）内の位置であればよい。従って、図２の熱交換機側ダクト３１から室外側ダクト３３を通る風路のうち、室内熱交換器１３から下流側（室内熱交換器１３から見て送風ファン１４と反対側）に、吹き出し空気温度センサを設ければよい。例えば、室内熱交換器１３のすぐ下流（例えば、室内熱交換器１３から１０センチメートルの位置）に、吹き出し空気温度センサが設置されていてもよい。あるいは、室外側ダクト３３から室外への吹き出し口に、吹き出し空気温度センサが設置されていてもよい。
【００４６】
また、ダンパ切替吹き出し空気温度とは、除霜運転終了後に風路を切り替えるタイミングの判定閾値として設定される、室内熱交換器１３からの吹き出し空気温度である。
風路切替制御部３９２が、室内熱交換器１３からの吹き出し空気温度に基づいて風路の切替タイミングを検出することで、ヒートポンプシステム本体１０が除霜運転を終了した際の室内への冷風の送出を抑制することができる。
【００４７】
あるいは、運転切替制御部３９１がヒートポンプシステム本体１０を除霜運転から加熱運転に切り替えた後、室外熱交換器１６の温度が所定のダンパ切替室外交換温度になった場合に、風路切替制御部３９２がダンパ３４を制御して風路を切り替えさせるようにしてもよい。具体的には、運転切替制御部３９１がヒートポンプシステム本体１０を除霜運転から加熱運転に切り替えた後、風路切替制御部３９２は、室外熱交換器温度センサ２３が測定する室外熱交換器１６の温度がダンパ切替室外交換温度になったか否かを判定する。そして、室外熱交換器１６の温度がダンパ切替室外交換温度になったと判定した場合、風路切替制御部３９２は、ダンパ３４を制御して風路を排気路から空気供給路に切り替えさせる。
【００４８】
ここで、ダンパ切替室外交換温度とは、除霜運転終了後に風路を切り替えるタイミングの判定閾値として設定される室外熱交換器１６の温度である。室外熱交換器１６の温度と室内熱交換器１３の温度との間には相関関係があり、室外熱交換器１６の温度から室内熱交換器１３の温度を推定することができる。
風路切替制御部３９２が、室外熱交換器１６の温度に基づいて風路の切替タイミングを検出することで、ヒートポンプシステム本体１０が、室内熱交換器温度センサ２２を備える必要が無くなる。この点でヒートポンプシステム本体１０の構成を簡単にすることができる。
ダンパ切替室外交換温度は、定数であってもよい。あるいは、運転切替制御部３９１が、乾燥室内の空気温度など所定のセンサ測定値に基づいてダンパ切替室外交換温度を算出するようにしてもよい。
【００４９】
あるいは、運転切替制御部３９１がヒートポンプシステム本体１０を除霜運転から加熱運転に切り替えた後、圧縮機１１の出口圧力が所定のダンパ切替圧力より高くなった場合に、風路切替制御部３９２がダンパ３４を制御して風路を切り替えさせるようにしてもよい。具体的には、運転切替制御部３９１がヒートポンプシステム本体１０を除霜運転から加熱運転に切り替えた後、風路切替制御部３９２は、圧力センサ２１が測定する圧縮機１１の出口圧力がダンパ切替圧力より高くなったか否かを判定する。そして、圧縮機１１の出口圧力がダンパ切替圧力より高くなったと判定した場合、風路切替制御部３９２は、ダンパ３４を制御して風路を排気路から空気供給路に切り替えさせる。
【００５０】
ここで、ダンパ切替圧力とは、除霜運転終了後に風路を切り替えるタイミングの判定閾値として設定される圧縮機１１の出口圧力である。圧縮機１１の出口圧力と室内熱交換器１３の温度との間には相関関係があり、圧縮機１１の出口圧力が高いほど室内熱交換器１３の温度が高くなる。従って、圧縮機１１の出口圧力から室内熱交換器１３の温度を推定することができる。
風路切替制御部３９２が、圧縮機１１の出口圧力に基づいて風路の切替タイミングを検出することで、ヒートポンプシステム本体１０が、室内熱交換器温度センサ２２を備える必要が無くなる。この点でヒートポンプシステム本体１０の構成を簡単にすることができる。
ダンパ切替圧力は、定数であってもよい。あるいは、運転切替制御部３９１が、乾燥室内の空気温度など所定のセンサ測定値に基づいてダンパ切替圧力を算出するようにしてもよい。
【００５１】
あるいは、運転切替制御部３９１がヒートポンプシステム本体１０を除霜運転から加熱運転に切り替えた後、送風ファン１４が回転数を上昇させるようにしておき、送風ファン１４の回転数が所定のダンパ切替回転数より高くなった場合に、風路切替制御部３９２がダンパ３４を制御して風路を切り替えさせるようにしてもよい。具体的には、除霜運転時には送風ファン１４は比較的低い回転数で回転しており、運転切替制御部３９１がヒートポンプシステム本体１０を除霜運転から加熱運転に切り替えると、送風ファン１４は徐々に回転数を上昇させていく。そして、風路切替制御部３９２は、送風ファン１４の回転数がダンパ切替回転数より高くなったか否かを判定する。送風ファン１４の回転数がダンパ切替回転数より高くなったと判定した場合、風路切替制御部３９２は、ダンパ３４を制御して風路を排気路（熱交換機側ダクト３１及び室外側ダクト３３）から空気供給路（熱交換機側ダクト３１及び乾燥機側ダクト３２）に切り替えさせる。
【００５２】
ここで、ダンパ切替回転数とは、除霜運転終了後に風路を切り替えるタイミングの判定閾値として設定される送風ファン１４の回転数である。送風ファン１４が回転数を徐々に上昇させていくことで、運転切替制御部３９１は、送風ファン１４の回転数に基づいて風路の切り替えタイミングを検出することができる。
風路切替制御部３９２が、送風ファン１４の回転数に基づいて風路の切替タイミングを検出することで、ヒートポンプシステム本体１０が、室内熱交換器温度センサ２２を備える必要が無くなる。この点でヒートポンプシステム本体１０の構成を簡単にすることができる。
送風ファン１４が、当加速度で送風ファン１４自らの回転数を上昇させていくようにしてもよい。あるいは、送風ファン１４が、圧力センサ２１が測定する圧縮機１１の出口圧力など、所定のセンサ測定値に基づいて回転数を変化させるようにしてもよい。
【００５３】
なお、制御装置３００の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。また上記プログラムは、前述した機能の一部を実現するためのものであっても良く、さらに前述した機能をコンピュータシステムにすでに記録されているプログラムとの組み合わせで実現できるものであっても良い。
【００５４】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００５５】
１  ヒートポンプシステム
１０  ヒートポンプシステム本体
１１  圧縮機
１２  四方弁
１３  室内熱交換器
１４  送風ファン
１５  絞り
１６  室外熱交換器
２１  圧力センサ
２２  室内熱交換器温度センサ
２３  室外熱交換器温度センサ
３０  ダクトシステム
３１  熱交換機側ダクト
３２  乾燥機側ダクト
３３  室外側ダクト
３４  ダンパ
３００  制御装置
３１０  通信部
３８０  記憶部
３９０  制御部
３９１  運転切替制御部
３９２  風路切替制御部
【図１】
2017040431.tif 000003
【図２】
2017040431.tif 000004
【図３】
2017040431.tif 000005
【図４】
2017040431.tif 000006